(57)【要約】【課題】  容易に施工することが出来て、防滴性を良好なものとし、屋外等の湿潤環境下に置かれる照明装置に使用して好適な外部電極発光体に用いるソケットを提供する。  【解決手段】  防滴型ソケット３０には、樹脂成型品によって構成される樹脂製ソケット本体３１が、設けられている。  この樹脂製ソケット本体３１は、端子３３を保持する軸方向に沿って中心軸近傍に穿設された端子保持空間部３１ａを有することにより、両端部に開口形成された発光体側開口部としてのランプ側開口部３１ｂと、リード線側開口部３１ｃとの間が連通された略円筒形形状に形成されている。  そして、ランプ側開口部３１ｂ側及び、リード線側開口部３１ｃ側から、樹脂製ソケット本体３１を被覆する防湿部材としての略円筒形形状のランプ側シリコンカバー部材３４及びリード線側シリコンカバー部材３５が、各々外嵌されている。【選択図】図１
2006134839.tif 000002
【特許請求の範囲】
【請求項１】
ソケット本体の一方の発光体側開口部から外部電極発光体の外部電極が設けられた端部を挿入すると共に、該樹脂製ソケット内部に、該端部の外部電極と接触して電気的に導通する金属電極を設け、該金属電極には、リード線端子を装着可能とするリード線接続部が設けられていると共に、前記外部電極が設けられた端部及び前記リード線が、前記ソケット本体の内側で前記金属電極を介して接続された状態で、該ソケット本体の外側を被覆する防湿部材を嵌着することを特徴とする外部電極発光体に用いるソケット。
【請求項２】
前記防湿部材は、前記ソケット本体のうち、前記外部電極発光体の外部電極が設けられた端部が挿入されるランプ側開口部を覆うランプ側シリコンカバー部材と、前記ソケット本体のうち、前記リード線端子を着脱可能に挿通するリード線側開口部を覆うリード線側シリコンカバー部材とに、二分割されて、構成されていることを特徴とする請求項１記載の外部電極発光体に用いるソケット。
【請求項３】
前記ソケット本体の一部には、前記ランプ側シリコンカバー部材及び、前記リード線側シリコンカバー部材を係止する係止凹溝部が凹設形成されていることを特徴とする請求項２記載の外部電極発光体に用いるソケット。        
【発明の詳細な説明】
【技術分野】
【０００１】
本発明は、電飾等の発光看板のバックライトや各種照明装置等の照光に使用される外部電極発光体に用いるソケットに関し、特に、屋外等の湿潤環境下に置かれる照明装置に使用して好適な外部電極発光体に用いるソケットを提供するものである。
【背景技術】
【０００２】
従来、液晶表示装置１等、屋内で使用される小型の表示装置のバックライトとして、図１１に示すように、外部電極発光体としての外部電極蛍光ランプ２ａ…を複数本、隣接させて並設することにより、略面状のバックライト部２を構成するものが提案されている（例えば、特許文献１等参照）。
【０００３】
このような従来のものでは、各外部電極蛍光ランプ２ａの長尺状の管体本体の両端部の外側に形成された外部電極部２ｂ，２ｂを、反射板４の上側外表面に露出された一対の帯状の導電体によって構成される電極連結線３，３に各々接触させて、電源部からの電力が供給されるように構成されている。
【０００４】
次に、この従来の外部電極蛍光ランプ２ａを用いた液晶表示装置１の作用について説明する。
【０００５】
このように構成された外部電極蛍光ランプ２ａを用いた液晶表示装置１では、各外部電極蛍光ランプ２ａの長尺状の管体本体の両端部の外側に各々形成された外部電極部２ｂ，２ｂに、前記電極連結線３，３を介して、電源部から電力を供給することにより、並列方式で、全ての外部電極蛍光ランプ２ａ…が駆動される。
【０００６】
これらの外部電極蛍光ランプ２ａ…の照光は、拡散板５を介して、図示省略の液晶表示面等を裏面側から略均等に照明する。
【０００７】
また、前記特許文献１には、図１２及び図１３に示すような上側電極板７と下側電極板８とを合わせて、多重カプセル電極構造物６，６を構成し、内側の凹溝部７ａ…，８ａ…を所定の間隔で、凹設することにより、前記各外部電極蛍光ランプ２ａの両端部に形成された外部電極部２ｂ，２ｂを一定間隔で装着させるものも記載されている。
【０００８】
このようなものでは、前記多重カプセル電極構造物６，６から延設される電線９，９を介して、電力が供給されることにより、前記外部電極蛍光ランプ２ａ，２ａが並列駆動されて点灯する。
【特許文献１】特開２００２−８４０８号公報（段落００２９乃至００５７、図１乃至図１４）
【発明の開示】
【発明が解決しようとする課題】
【０００９】
しかしながら、このような従来の外部電極蛍光ランプ２ａ…を用いたバックライト部２では、前記外部電極部２ｂ，２ｂが、直接、前記電極連結線３，３に接触させるように構成されているため、この電極連結線３，３が、反射板４の外表面に露出されたままの状態で、敷設されている。
【００１０】
このため、降雨や夜露等によって湿潤状態となる屋外等に設置される看板のバックライト部として、このまま用いることは困難であった。
【００１１】
また、図１２及び図１３に示すような上側電極板７と下側電極板８とを合わせて、多重カプセル電極構造物６，６を構成したものでは、図１３中二点鎖線で示すように、光量を調整するため、前記外部電極蛍光ランプ２ａが間引かれると、外部電極２ｂ，２ｂが装着されていない凹溝部７ａ，８ａの開口を蓋部材等で塞ぎ、防滴性を向上させなければならない。このため、部品点数が増大してしまうと共に、施工性が良好であるとは言い難かった。
【００１２】
そこで、この発明は、容易に施工することが出来て、防滴性を良好なものとし、屋外等の湿潤環境下に置かれる照明装置に使用して好適な外部電極発光体に用いるソケットを提供することを課題としている。
【課題を解決するための手段】
【００１３】
上記目的を達成するために、請求項１に記載された発明は、ソケット本体の一方の発光体側開口部から外部電極発光体の外部電極が設けられた端部を挿入すると共に、該樹脂製ソケット内部に、該端部の外部電極と接触して電気的に導通する金属電極を設け、該金属電極には、リード線端子を装着可能とするリード線接続部が設けられていると共に、前記外部電極が設けられた端部及び前記リード線が、前記ソケット本体の内側で前記金属電極を介して接続された状態で、該ソケット本体の外側を被覆する防湿部材を嵌着する外部電極発光体に用いるソケットを特徴としている。
【００１４】
また、請求項２に記載されたものは、前記防湿部材は、前記ソケット本体のうち、前記外部電極発光体の外部電極が設けられた端部が挿入されるランプ側開口部を覆うランプ側シリコンカバー部材と、前記ソケット本体のうち、前記リード線端子を着脱可能に挿通するリード線側開口部を覆うリード線側シリコンカバー部材とに、二分割されて、構成されている請求項１記載の外部電極発光体に用いるソケットを特徴としている。
【００１５】
更に、請求項３に記載されたものは、前記ソケット本体の一部には、前記ランプ側シリコンカバー部材及び、前記リード線側シリコンカバー部材を係止する係止凹溝部が凹設形成されている請求項２記載の外部電極発光体に用いるソケットを特徴としている。
【発明の効果】
【００１６】
このように構成された本願発明の請求項１記載のものは、前記ソケット本体内部に設けられた端子に、前記ソケット本体の一方の発光体側開口部から挿入された外部電極発光体の外部電極を接触させると共に、前記リード線接続部にリード線端子を接続して、電気的に導通させる。
【００１７】
そして、前記防湿部材を嵌着することによって、前記ソケット本体の外側が被覆されると、前記外部電極が設けられた端部、端子及び前記リード線が、前記ソケット本体の内側で、密閉されて、防湿状態となる。
【００１８】
このため、容易に施工することが出来て、防滴性を良好なものとし、屋外等の湿潤環境下に置かれる照明装置に使用して好適な外部電極発光体に用いるソケットが提供される。
【００１９】
また、請求項２に記載されたものは、前記防湿部材が、二分割されて、前記ソケット本体のうち、前記外部電極発光体の外部電極が設けられた端部が挿入されるランプ側開口部を、ランプ側シリコンカバー部材で覆い、また、前記ソケット本体のうち、前記リード線端子を装着可能に挿通するリード線側開口部を、リード線側シリコンカバー部材で覆うことにより、容易に水密状態とすることができる。  
【００２０】
更に、請求項３に記載されたものは、前記ソケット本体の一部に、凹設形成された係止凹溝部に、前記ランプ側シリコンカバー部材及び、前記リード線側シリコンカバー部材を嵌着させる際に係止させると、該各ランプ側シリコンカバー部材及び、前記リード線側シリコンカバー部材を嵌着させた方向と逆方向への移動が阻止されて、容易に脱落する虞が減少する。
【００２１】
このため、更に、防滴性を良好なものとし、長期に渡り、屋外等の湿潤環境下に置かれる照明装置に使用して好適な外部電極発光体に用いるソケットが提供される。
【発明を実施するための最良の形態】
【００２２】
次に、図面に基づいて、この発明を実施するための最良の実施の形態の外部電極発光体に用いるソケットについて説明する。
【００２３】
図１乃至図１０は、この発明の実施の形態の外部電極発光体に用いるソケットを示すものである。
【００２４】
まず、構成から説明すると、この発明の実施の形態の外部電極発光体に用いるソケットは、主に外部電極発光体としての外部電極蛍光ランプ２０に用いられるもので、この外部電極蛍光ランプ２０は、両端端部の外側面部に設けられた外部電極２３に、電圧が印可されることにより、前記管体本体２１の中空部内部に封止された放電ガスを、電磁場を発生させてプラズマとすることにより、発光するＥＥＦＬ駆動方式が採用されている。
【００２５】
このＥＥＦＬ駆動方式では、管体本体２１の中空部内部に電極が無いため、比較的、耐久性が良好（ＣＣＦＬ駆動方式が、約４０,０００時間に対し、ＥＥＦＬ駆動方式が、約
６０,０００〜８０,０００時間）で、長期間用いられる発光看板の外部電極蛍光ランプ２０の交換に伴うメンテナンス頻度を減少させることができる。
【００２６】
また、この実施の形態に用いられる外部電極蛍光ランプ２０の管径は、約２．６ｍｍφ/５φ/８φで、通常の蛍光ランプの管径（約２０ｍｍ〜４０ｍｍφ）に比して、小径である。
【００２７】
そして、これらの外部電極２３…には、この実施の形態のソケットとしての防滴型ソケット３０…が、各々着脱可能に嵌着されている。  
【００２８】
更に、この防水ソケット３０には、これらの外部電極２３，２３間を接続する被覆リード線２５が、各々装脱着可能に接続されている。
【００２９】
次に、防水ソケット３０の構成について詳述する。
【００３０】
この実施の形態の防水ソケット３０には、樹脂成型品によって構成される樹脂製ソケット本体３１が、設けられている。
【００３１】
この樹脂製ソケット本体３１は、図２に示すように、軸方向に沿って中心軸近傍に穿設された端子保持空間部３１ａを有することにより、両端部に開口形成された発光体側開口部としてのランプ側開口部３１ｂと、リード線側開口部３１ｃとの間が連通された略円筒形形状に形成されている。
【００３２】
また、この樹脂製ソケット本体３１の長手方向中央部の外周面には、環状に係止凹溝部３１ｄが、凹設形成されている。
【００３３】
そして、この端子保持空間部３１ａ内に、金属製の端子３３が挿入された状態で、前記リード線側開口部３１ｃに嵌着される略小判形状を呈する抜け止め部材３２によって抜け止めされて、保持されるように構成されている。
【００３４】
この端子３３には、長板状の基部３３ｅに、前記ランプ側開口部３１ｂから挿入された前記外部電極蛍光ランプ２０の外部電極２３を、両側から挟持して電気的に導通させる電極接触片３３ａ，３３ａが、左，右一対一体となるように設けられている。
【００３５】
また、この端子３３の基部３３ｅには、前記リード線側開口部３１ｃ近傍に位置して、樹脂製ソケット本体３１の段部３１ｅと、前記ランプ側開口部３１ｂとの間の位置で、この段部３１ｅと、抜け止め部材３２とによって挟持されて固定される立壁部３３ｂが、一体に設けられている。
【００３６】
この立壁部３３ｂには、前記被覆リード線２５の端部から露出する金属ワイヤ状の導線２５ａが挿通されて、リード線接続部を構成する導線用開口部３３ｃが開口形成されている。
【００３７】
そして、この導線用開口部３３ｃの上縁部から、抑え片３３ｄが、下方に向けて一体となるように延設されている。この抑え片３３ｄには、ガイド三角凹部３３ｆ，３３ｆが左，右一対形成されていて、前記各被覆リード線２５，２５の挿通によって、導線２５ａ，２５ａの先端が、このガイド三角凹部３３ｆ，３３ｆに当接して、導線２５ａ部分が屈曲して、押圧方向への力が離散しないようにガイドされることにより、これらの導線２５ａが挿入される方向に向けて、前記抑え片３３ｄを弾性変形させて、下端縁が揺動することにより、前記導線用開口部３３ｃの下縁との間に、前記導線２５ａが、挾まれて係止されるように構成されている。
【００３８】
また、前記抜け止め部材３２には、前記被覆リード線２５が挿通される丸孔３２ａ，３２ａが、前記導線用開口部３３ｃの下縁と、抑え片３３ｄの下端縁との間に対応して、左，右一対形成されている。
【００３９】
そして、これらの防水ソケット３０には、前記ランプ側開口部３１ｂ側及び、前記リード線側開口部３１ｃ側から、樹脂製ソケット本体３１を被覆する防湿部材としての略円筒形形状のランプ側シリコンカバー部材３４及びリード線側シリコンカバー部材３５が、各々外嵌されている。
【００４０】
このうち、図４に示すように、ランプ側シリコンカバ−部材３４には、大筒部３４ａが設けられていて、この大筒部３４ａの一端部開口周縁には、前記係止凹溝部３１ｄの一側端縁に係止される係止フランジ部３４ｂが、内側に向けて一定の幅で、一体に突設形成されている。
【００４１】
このランプ側シリコンカバー部材３４の他端部には、前記外部電極蛍光ランプ２０の管体本体２１外周面に内周面を圧着させてシールを行う筒状のランプ挿入穴部３４ｃが形成されていて、前記他端部から一定高さｈ１筒状部分が突設されることにより、シール代が大きくなるように構成されている。
【００４２】
また、前記リード線側シリコンカバー部材３５には、大筒部３５ａが設けられていて、この大筒部３５ａの一端部開口周縁には、前記係止凹溝部３１ｄの他側端縁に係止される係止フランジ部３５ｂが、内側に向けて一定の幅で、一体に突設形成されている。
【００４３】
このリード線側シリコンカバー部材３５の他端部には、前記被覆リード線２５，２５が
各々挿通されると共に、被覆部分の外周面に内周面を圧着させてシールを行う一対のリード線挿通穴部３５ｃ，３５ｃが形成されている。
【００４４】
このリード線挿通穴部３５ｃ，３５ｃは、前記他端部から一定高さｈ２、突設されることにより、各被覆リード線２５，２５との間のシール代が大きくなるように構成されている。
【００４５】
そして、これらの外部電極蛍光ランプ２０…の各端部に嵌着された前記防滴型ソケット３０は、隣接配置される外部電極蛍光ランプ２０の防滴型ソケット３０と、被覆リード線２５…を介して連結接続されて、他の被覆リード線を介して、インバータ装置等の電源に接続されて、電力線を介して、ＡＣアダプタ等から、１２Ｖ〜２４Ｖ交流電流に減圧された電力が供給されるように構成されている。この実施の形態では、入力される電流が、約８０ｋＨｚ以下の矩形波として、前記上，下各列の各端子３３，３３に、嵌着される各外部電極蛍光ランプ２０…を並列駆動させるように供給される構成としている。
【００４６】
次に、この実施の形態の外部電極蛍光ランプ２０を用いた発光看板の作用について説明する。
【００４７】
この実施の形態では、図８に示すように、予め前記端子３３を樹脂製ソケット本体３１の端子保持空間部３１ａ内に挿入すると共に、前記抜け止め部材３２によって、この端子３３の立壁部３３ｂが、前記樹脂製ソケット本体３１内に形成された段部３１ｅとの間に、挟持されて固定される。
【００４８】
また、図７に示すように、樹脂製ソケット本体３１の前記ランプ側開口部３１ｂ側及び、前記リード線側開口部３１ｃ側から、前記ランプ側シリコンカバー部材３４及びリード線側シリコンカバー部材３５が、各々この樹脂製ソケット本体３１を被覆するように外嵌される。
【００４９】
この際、この実施の形態では、前記防湿部材が、ランプ側シリコンカバー部材３４及びリード線側シリコンカバー部材３５に二分割されていて、前記樹脂製ソケット本体３１のうち、前記外部電極蛍光ランブ２０の外部電極２３が設けられた端部が挿入されるランプ側開口部３１ｂが、ランプ側シリコンカバー部材３４で覆われ、また、前記樹脂製ソケット本体３１のうち、前記リード線２５の導線２５ａを着脱可能に挿通するリード線側開口部３１ｃが、リード線側シリコンカバー部材３５で覆われることにより、容易に防湿状態とすることができる。
【００５０】
この嵌着の際、前記ランプ側シリコンカバー部材３４の係止フランジ部３４ｂが形成されている端部の開口の内径は、前記樹脂製ソケット本体３１の外径よりも小さく設定されていれば良く、このランプ側シリコンカバー部材３４を構成するシリコンラバー材が、拡開変形されて、嵌着されると、前記係止フランジ部３４ｂが、前記係止凹溝部３１ｄの一側端縁に係止されると共に、前記樹脂製ソケット本体３１の外周面に圧着されて、嵌着させた方向と逆方向への移動が阻止される。
【００５１】
このため、容易に、このランプ側シリコンカバー部材３４が、前記樹脂製ソケット本体３１から脱落する虞が減少する。
【００５２】
また、前記リード線側シリコンカバー部材３５の係止フランジ部３５ｂが形成されている端部の開口の内径は、前記樹脂製ソケット本体３１の外径よりも小さく設定されていれば良く、このリード線側シリコンカバー部材３５を構成するシリコンラバー材が、拡開変形されて、嵌着されると、前記係止フランジ部３５ｂが、前記係止凹溝部３１ｄの他側端
縁に係止されると共に、前記樹脂製ソケット本体３１の外周面に圧着されて、嵌着させた方向と逆方向への移動が阻止される。
【００５３】
このため、容易に、このリード線側シリコンカバー部材３５が、前記樹脂製ソケット本体３１から脱落する虞が減少する。
【００５４】
そして、図２に示すように、前記外部電極蛍光ランプ２０の端部２３に、この防滴型ソケット３０が嵌着される。
【００５５】
即ち、前記樹脂製ソケット本体３１内部に設けられた端子３３に、前記樹脂製ソケット本体３１の一方のランプ側開口部３１ｂから挿入された外部電極蛍光ランプ２０の外部電極２３を接触させると共に、前記導線用開口部３３ｃの下縁と、前記抑え片３３ｄの下縁との間に前記導線２５ａが、挾まれて係止されて、被覆リード線２５が接続されて、電気的に導通される。
【００５６】
そして、前記ランプ側シリコンカバー部材３４及びリード線側シリコンカバー部材３５を嵌着することによって、前記樹脂製ソケット本体３１の外側が被覆される。
【００５７】
これらの被覆によって、前記外部電極蛍光ランプ２０は、管体本体２１の外周面部が、前記ランプ挿入穴部３４ｃの内周面に、一定の高さ寸法ｈ１で圧着されると共に、前記リード線２５の被覆部分の外周面が、前記リード線挿通穴部３５ｃの内側面に圧着されて、シールが行われ、外部電極２３が設けられた端部、端子３３及び前記リード線２５の導線２５ａ部分が、前記樹脂製ソケット本体３１の内側で、密閉されて、防湿状態となる。
【００５８】
このため、ランプ側シリコンカバー部材３４及びリード線側シリコンカバー部材３５を嵌着した防水ソケット３０に、前記外部電極蛍光ランプ２０の端部及びリード線２５の導線２５ａ部分を挿入するだけで、容易に施工することが出来て、防滴性を良好なものとし、屋外等の湿潤環境下に置かれる照明装置に使用して好適な外部電極発光体に用いるソケットが提供される。
【００５９】
例えば、組み立てられた防水ソケット３０（例えば、図１中、紙面右側に位置する防滴型ソケット３０）を、複数個用意する。
【００６０】
そして、施工現場や組立工場では、並設される各外部電極蛍光ランプ２０…の両端部に、各々前記防滴型ソケット３０，３０が、各々嵌着させる。
【００６１】
更に、前記全長の長，短被覆リード線２５，２５が、前記防水ソケット３０の前記端子３３に、前記リード線挿通穴部３５ｃ，３５ｃから挿入されて接続される。この防滴型ソケット３０から外部に露出している被覆リード線２５の部分は、被覆されているので、防滴性が良好である。
【００６２】
また、前記被覆リード線２５は、長さを容易に変更可能であるので、各管体本体２１，２１間の間隔が調整されて、照明ムラの少ない高輝度で、大面積の発光看板等のバックライト等を得ることが出来る。
【００６３】
従って、発光看板等の大きさや形状に応じて、被覆リード線２５の長さを変更するだけで、略施工が完了し、発光看板の造形の自由度を向上させることができる。  
【００６４】
また、一対の帯状の導電体によって構成される電極連結線３，３が、各外部電極２３，２３の間で露出してしまうものに比して、耐候性が良好であると共に、前記上，下電極板
７，８のように、防滴性を向上させるための蓋部材等が不要で、部品点数の増大を抑制することが出来、屋外等の湿潤環境下で用いて好適な外部電極発光体に用いる防水ソケット３０が、提供される。
【００６５】
以上、図面を参照して、本発明の実施の形態を詳述してきたが、具体的な構成は、この実施の形態に限らず、本発明の要旨を逸脱しない程度の設計的変更は、本発明に含まれる。
【００６６】
即ち、前記実施の形態では、前記防水ソケット３０の樹脂製ソケット本体３１が、樹脂製材料で構成されているが、特にこれに限らず、例えば、セラミック材料製等、導電率が低い材料で構成されて、所望の防滴性能が得られるものであるならば、例えば、円筒状に限らず、三角筒状、四角筒状或いは楕円筒状や、他の多角筒状であっても良く、形状、材質及び数量が特に限定されるものではない。
【図面の簡単な説明】
【００６７】
【図１】この発明の最良の実施の形態の外部電極発光体に用いるソケットで、全体の構成を説明する分解斜視図である。
【図２】実施の形態の外部電極発光体に用いるソケットで、図１中Ａ−Ａ線に沿った部分での断面図である。
【図３】実施の形態の外部電極発光体に用いるソケットに用いる防水ソケットの構成を説明し、リード線側シリコンカバー部材を外した状態の端面図である。
【図４】実施の形態の外部電極発光体に用いるソケットで、ランプ側シリコンカバー部材のランプ挿入穴部を説明する端面図である。
【図５】実施の形態の外部電極発光体に用いるソケットで、ランプ側シリコンカバー部材及びリード線側シリコンカバー部材が、ソケット本体に嵌着された状態を示す側面図である。
【図６】実施の形態の外部電極発光体に用いるソケットで、リード線側シリコンカバー部材のリード線挿通穴部を説明する端面図である。
【図７】実施の形態の外部電極発光体に用いるソケットを説明し、ランプ側シリコンカバー部材及びリード線側シリコンカバー部材を、ソケット本体に嵌着する様子を示す側面図である。
【図８】実施の形態の外部電極発光体に用いるソケットで、要部の構成を説明する縦断面図である。
【図９】実施の形態の外部電極発光体に用いるソケットで、図８中Ｂ−Ｂ線に沿った位置での断面図である。
【図１０】実施の形態の外部電極発光体に用いるソケットで、図８中Ｃ−Ｃ線に沿った位置での断面図である。
【図１１】一従来例の液晶表示装置の構成を説明する分解斜視図である。
【図１２】他の従来例の液晶表示装置に用いられる外部電極発光体に使用する多重カプセル電極構造物の分解斜視図である。
【図１３】他の従来例の液晶表示装置で、多重カプセル電極構造物を外部電極発光体に用いる様子を説明する分解斜視図である。
【符号の説明】
【００６８】
２０          外部電極蛍光ランプ（外部電極発光体）
２１          管体本体
２３，２３    外部電極
２５          被覆リード線
３０          防水ソケット
３１          樹脂製ソケット本体
３１ｄ        係止凹部溝部
３３，３３    端子
３４          ランプ側シリコンカバー部材
３５          リード線側シリコンカバー部材
【図１】
2006134839.tif 000003
【図２】
2006134839.tif 000004
【図３】
2006134839.tif 000005
【図４】
2006134839.tif 000006
【図５】
2006134839.tif 000007
【図６】
2006134839.tif 000008
【図７】
2006134839.tif 000009
【図８】
2006134839.tif 000010
【図９】
2006134839.tif 000011
【図１０】
2006134839.tif 000012
【図１１】
2006134839.tif 000013
【図１２】
2006134839.tif 000014
【図１３】
2006134839.tif 000015